(57)【要約】【課題】  第１、第２ケースを重ね合わせても、キー入力部を保護して表示部に表示された情報が見るようにする。【解決手段】  ケースヒンジ部５によって回動可能に連結された第１、第２ケース３、４をカバー部材２の第１、第２カバー部１０、１１内に収納すると共に、この第１、第２カバー部１０、１１をカバーヒンジ部１２によって回動可能に連結し、第１カバー部１０に表示開口部１３を表示部６に対応させて設けた。従って、第１、第２ケース３、４を開いて表示部６とキー入力部とを同じ面側に露呈させると、キー入力部を操作して表示部６に情報を表示させて使用することができ、第１、第２ケース３、４を背中合わせに重ねと、表示部６に表示された情報を見ることができると共に、コンパクトに携帯することができ、且つカバー部材２でキー入力部８を覆って保護することができる。【選択図】        図２
2006338459.tif 000002
【特許請求の範囲】
【請求項１】
表示部を有する第１ケースと、
キー入力部を有する第２ケースと、
前記第１、第２ケースを回動可能に連結するケースヒンジ部と、
このケースヒンジ部を中心に前記第１、第２ケースを回動させて背中合わせに重ねた状態で前記第２ケースの前記キー入力部を覆うカバー部材と
を備えたことを特徴とする携帯型電子機器。
【請求項２】
前記カバー部材は、前記第１ケースの前記表示部に対応する表示開口部を有して前記第１ケースを引き出し可能に収納する第１カバー部と、前記第２ケースを引き出し可能に収納する第２カバー部と、前記第１、第２カバー部を回動可能に連結するカバーヒンジ部とを備え、前記カバーヒンジ部を中心に回動して重ね合わされた前記第１、第２カバー部内に、前記第１、第２ケースが背中合わせに重なった状態で収納されたときに、前記ケースヒンジ部が前記カバーヒンジ部と反対側に配置されて、前記第１カバー部の前記表示開口部が前記第１ケースの前記表示部に対応すると共に、前記第２カバー部が前記第２ケースの前記キー入力部を覆うことを特徴とする請求項１に記載の携帯型電子機器。
【請求項３】
前記第１、第２ケースは、背中合わせに重なった状態で前記第１、第２カバー部内に収納され、この状態で前記ケースヒンジ部側を前記第１、第２カバー部から引き出して、前記ケースヒンジ部を中心に前記第１、第２ケースを回動させて開くと、これに伴って前記第１、第２カバー部が前記カバーヒンジ部を中心に回動して開き、前記第１ケースの前記表示部と前記第２ケースの前記キー入力部とが同じ面側を向いて露出すると、前記第１、第２カバー部が前記表示部と前記キー入力部との反対側に位置する前記第１、第２ケースの裏面側に配置されることを特徴とする請求項２に記載の携帯型電子機器。
【請求項４】
前記第１カバー部には、前記第１ケースに設けられた第１ガイド部をガイドする第１ガイド溝が前記第１ケースの引き出し方向に沿って設けられ、前記第２カバー部には、前記第２ケースに設けられた第２ガイド部をガイドする第２ガイド溝が前記第２ケースの引き出し方向に沿って設けられていることを特徴とする請求項２または３に記載の携帯型電子機器。
【請求項５】
前記カバー部材は、前記第１ケースの前記表示部に対応する表示開口部を有して前記第１ケース覆う第１カバー部と、前記第１ケースに背中合わせに重なった前記第２ケースを覆う第２カバー部と、前記第１、第２カバー部を回動可能に連結するカバーヒンジ部とを備え、前記カバーヒンジ部を中心に回動して重ね合わされた前記第１、第２カバー部内に、前記第１、第２ケースが背中合わせに重なった状態で収納されたときに、前記ケースヒンジ部が前記カバーヒンジ部と反対側に配置されて、前記第１カバー部の前記表示開口部が前記第１ケースの前記表示部に対応すると共に、前記第２カバー部が前記第２ケースの前記キー入力部を覆うことを特徴とする請求項１に記載の携帯型電子機器。
【請求項６】
前記第１、第２ケースは、背中合わせに重なった状態で前記第１、第２カバー部内に収納され、この状態で前記カバーヒンジ部を中心に前記第１、第２カバー部を回動させて開くと共に、前記ケースヒンジ部を中心に前記第２ケースを回動させて開くと、前記第１ケースの前記表示部と前記第２ケースの前記キー入力部とが同じ面側を向いて露出し、この状態で前記第２カバー部を閉じると、前記第２カバー部が前記表示部と反対側に位置する第１ケースの裏面側に配置されることを特徴とする請求項５に記載の携帯型電子機器。
【請求項７】
前記カバー部材は、前記第１ケースにおける前記表示部と反対側の裏面に着脱可能に取り付けられ、前記ケースヒンジ部を中心に前記第１、第２ケースを回動させて背中合わせに重ねるときに、前記第１ケースから取り外されて前記第２ケースに取り付けられることにより、前記キー入力部を覆うことを特徴とする請求項１に記載の携帯型電子機器。
【請求項８】
前記第１ケースには、前記表示部を操作するための複数の操作キーが前記カバー部材から外部に露出して設けられていることを特徴とする請求項１〜７のいずれかに記載の携帯型電子機器。
【発明の詳細な説明】
【技術分野】
【０００１】
この発明は、電子辞書や携帯電話機、ＰＤＡ（パーソナル・デジタル・アシスタント）などの携帯型電子機器に関し、更に詳しくは折り畳み式の携帯型電子機器に関する。
【背景技術】
【０００２】
従来、電子辞書などの折り畳み式の携帯型電子機器においては、特許文献１に記載されているように、表示部を有する第１ケースとキー入力部を有する第２ケースとをヒンジ部によって回動可能に連結し、第１ケースの外面つまり表示部と反対側の外表面にカバー部材を取り付け、携帯するときに表示部とキー入力部とを対面させて第１、第２ケースを重ね合わせると、カバー部材が露呈し、また使用するときに第１、第２ケースを開いて表示部とキー入力部とを同じ面側に向けて露呈させるように構成したものがある。
【特許文献１】特開２００５−１８３２４号
【発明の開示】
【発明が解決しようとする課題】
【０００３】
しかしながら、このような従来の携帯型電子機器では、第１ケースに取り付けられたカバー部材にカード型電卓などの平板状部品を取り付けて付加機能を追加することができても、表示部とキー入力部とを対面させて第１、第２ケースを重ね合わせて閉じているため、使用するときに第１、第２ケースを開かなければ、表示部とキー入力部とを露呈させることができない。このため、第１、第２ケースを閉じて重ねた状態では、表示部を見ることができず、使い勝手が悪いという問題がある。
【０００４】
この発明が解決しようとする課題は、第１、第２ケースを重ね合わせても、キー入力部を保護して表示部に表示された情報を見ることができる携帯型電子機器を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１７に示すように、表示部（６）を有する第１ケース（３）と、キー入力部（８）を有する第２ケース（４）と、前記第１、第２ケースを回動可能に連結するケースヒンジ部（５、３０）と、このケースヒンジ部を中心に前記第１、第２ケースを回動させて背中合わせに重ねた状態で前記第２ケースの前記キー入力部を覆うカバー部材（２、２０、３１）とを備えたことを特徴とする携帯型電子機器である。
【０００７】
請求項２に記載の発明は、図１〜図８に示すように、前記カバー部材（２）が、前記第１ケース（３）の前記表示部（６）に対応する表示開口部（１３）を有して前記第１ケースを引き出し可能に収納する第１カバー部（１０）と、前記第２ケース（４）を引き出し可能に収納する第２カバー部（１１）と、前記第１、第２カバー部を回動可能に連結するカバーヒンジ部（１２）とを備え、前記カバーヒンジ部を中心に回動して重ね合わされた前記第１、第２カバー部内に、前記第１、第２ケースが背中合わせに重なった状態で収納されたときに、前記ケースヒンジ部が前記カバーヒンジ部と反対側に配置されて、前記第１カバー部の前記表示開口部が前記第１ケースの前記表示部に対応すると共に、前記第２カバー部が前記第２ケースの前記キー入力部を覆うことを特徴とする請求項１に記載の携帯型電子機器である。
【０００８】
請求項３に記載の発明は、図１〜図８に示すように、前記第１、第２ケース（３、４）が、背中合わせに重なった状態で前記第１、第２カバー部（１０、１１）内に収納され、この状態で前記ケースヒンジ部（５）側を前記第１、第２カバー部から引き出して、前記ケースヒンジ部を中心に前記第１、第２ケースを回動させて開くと、これに伴って前記第１、第２カバー部が前記カバーヒンジ部（１２）を中心に回動して開き、前記第１ケースの前記表示部（６）と前記第２ケースの前記キー入力部（８）とが同じ面側を向いて露出すると、前記第１、第２カバー部が前記表示部と前記キー入力部との反対側に位置する前記第１、第２ケースの裏面側に配置されることを特徴とする請求項２に記載の携帯型電子機器である。
【０００９】
請求項４に記載の発明は、図１〜図８に示すように、前記第１カバー部（１０）には、前記第１ケース（３）に設けられた第１ガイド部（第１ガイド突起１４）をガイドする第１ガイド溝（１５）が前記第１ケースの引き出し方向に沿って設けられ、前記第２カバー部（１１）には、前記第２ケース（４）に設けられた第２ガイド部（第２ガイド突起１６）をガイドする第２ガイド溝（１７）が前記第２ケースの引き出し方向に沿って設けられていることを特徴とする請求項２または３に記載の携帯型電子機器である。
【００１０】
請求項５に記載の発明は、図９〜図１１に示すように、前記カバー部材（２０）が、前記第１ケース（３）の前記表示部（６）に対応する表示開口部（２４）を有して前記第１ケースを覆う第１カバー部（２１）と、前記第１ケースに背中合わせに重なった前記第２ケース（４）を覆う第２カバー部（２２）と、前記第１、第２カバー部を回動可能に連結するカバーヒンジ部（２３）とを備え、前記カバーヒンジ部を中心に回動して重ね合わされた前記第１、第２カバー部内に、前記第１、第２ケースが背中合わせに重なった状態で収納されたときに、前記ケースヒンジ部が前記カバーヒンジ部と反対側に配置されて、前記第１カバー部の前記表示開口部が前記第１ケースの前記表示部に対応すると共に、前記第２カバー部が前記第２ケースの前記キー入力部（８）を覆うことを特徴とする請求項１に記載の携帯型電子機器である。
【００１１】
請求項６に記載の発明は、図９〜図１１に示すように、前記第１、第２ケース（３、４）が、背中合わせに重なった状態で前記第１、第２カバー部（２１、２２）内に収納され、この状態で前記カバーヒンジ部（２３）を中心に前記第１、第２カバー部を回動させて開くと共に、前記ケースヒンジ部（５）を中心に前記第２ケースを回動させて開くと、前記第１ケースの前記表示部（６）と前記第２ケースの前記キー入力部（８）とが同じ面側を向いて露出し、この状態で前記第２カバー部を閉じると、前記第２カバー部が前記表示部と反対側に位置する第１ケースの裏面側に配置されることを特徴とする請求項５に記載の携帯型電子機器である。
【００１２】
請求項７に記載の発明は、図１２〜図１７に示すように、前記カバー部材（３１）が、前記第１ケース（３）における前記表示部（６）と反対側の裏面に着脱可能に取り付けられ、前記ケースヒンジ部（３０）を中心に前記第１、第２ケースを回動させて背中合わせに重ねるときに、前記第１ケースから取り外されて前記第２ケース（４）に取り付けられることにより、前記キー入力部（８）を覆うことを特徴とする請求項１に記載の携帯型電子機器である。
【００１３】
請求項８に記載の発明は、図１〜図１７に示すように、前記第１ケース（３）には、前記表示部（６）を操作するための複数の操作キー（７）が前記カバー部材（２、２０、３１）から外部に露出して設けられていることを特徴とする請求項１〜７のいずれかに記載の携帯型電子機器である。
【発明の効果】
【００１４】
請求項１に記載の発明によれば、ケースヒンジ部を中心に第１、第２ケースを回動させて開き、第１ケースの表示部と第２ケースのキー入力部とを同じ面側に向けて露呈させると、キー入力部を操作して表示部に情報を表示させて使用することができ、またケースヒンジ部を中心に第１、第２ケースを回動させて背中合わせに重ねると、第１ケースの表示部と第２ケースのキー入力部とが互いに反対側の面を向くので、表示部に表示された情報を見ることができると共に、コンパクトに携帯することができ、且つこのときにカバー部材でキー入力部が覆われるので、キー入力部をカバー部材で保護することができ、これにより第１、第２ケースを重ね合わせても、キー入力部を保護した状態で表示部に表示された情報を見ることができる。
【００１５】
請求項２に記載の発明によれば、カバー部材が、第１ケースを引き出し可能に収納する第１カバー部と、第２ケースを引き出し可能に収納する第２カバー部と、第１、第２カバー部を回動可能に連結するカバーヒンジ部とを備え、このカバーヒンジ部を中心に回動して重なり合った第１、第２カバー部内に、第１、第２ケースが背中合わせに重なった状態で収納されたときに、ケースヒンジ部がカバーヒンジ部と反対側に配置されて、第１ケースの表示部が第１カバー部に設けられた表示開口部に対応して露呈すると共に、第２ケースのキー入力部が第２カバー部で覆い隠されるので、請求項１に記載の発明と同様、第１、第２ケースを重ね合わせても、第２ケースのキー入力部を確実に保護した状態で第１ケースの表示部に表示された情報を良好に見ることができる。
【００１６】
請求項３に記載の発明によれば、第１、第２ケースが背中合わせに重なった状態で第１、第２カバー部内に収納され、この状態でケースヒンジ部側を第１、第２カバー部から引き出して、ケースヒンジ部を中心に第１、第２ケースを回動させて開くと、これに伴って第１、第２カバー部がカバーヒンジ部を中心に回動して開き、第１ケースの表示部と第２ケースのキー入力部とが同じ面側を向いて露出すると、第１、第２カバー部が第１、第２ケースの裏面側に配置されるので、第１、第２ケースおよび第１、第２カバー部の開閉操作が簡単で容易にでき、且つカバー部材が邪魔にならず、良好にキー入力部を操作して表示部に情報を表示させて使用することができると共に、第１、第２ケースおよび第１、第２カバー部を折り畳んでコンパクトに携帯することができる。
【００１７】
請求項４に記載の発明によれば、第１カバー部に第１ケースの第１ガイド部をガイドする第１ガイド溝が第１ケースの引き出し方向に沿って設けられ、第２カバー部に第２ケースの第２ガイド部をガイドする第２ガイド溝が第２ケースの引き出し方向に沿って設けられていることにより、第１、第２ケースを背中合わせに重ねた状態で第１、第２カバー部から引き出すとき、また第１、第２カバー部内に収納するときに、第１、第２ガイド部が第１、第２ガイド溝に沿ってガイドされるので、円滑に第１、第２ケースを第１、第２カバー部に対しスライドさせることができる。
【００１８】
この場合、第１、第２ケースを第１、第２カバー部から引き出したときに、第１、第２ガイド部が第１、第２ガイド溝の各端部に当接するので、第１、第２ケースが第１、第２カバー部から抜け出さないように係止することができ、この状態でケースヒンジ部を中心に第１、第２ケースを回動させて開くことができるので、これに伴ってカバーヒンジ部を中心に第１、第２カバー部を円滑に且つ良好に回動させて開くことができ、これにより第１、第２ケースから第１、第２カバー部を取り外すことなく、第１、第２ケースおよび第１、第２カバー部を円滑に開閉することができる。
【００１９】
請求項５に記載の発明によれば、カバー部材が、第１ケースを覆う第１カバー部と、第１ケースに背中合わせに重なった第２ケースを覆う第２カバー部と、第１、第２カバー部を回動可能に連結するカバーヒンジ部とを備え、このカバーヒンジ部を中心に回動して重なり合った第１、第２カバー部内に、第１、第２ケースが背中合わせに重なった状態で収納されるときに、ケースヒンジ部がカバーヒンジ部と反対側に配置されて、第１ケースの表示部が第１カバー部の表示開口部に対応して露出すると共に、第２ケースのキー入力部が第２カバー部で覆われることにより、請求項１に記載の発明と同様、第１、第２ケースを重ね合わせても、第２ケースのキー入力部を確実に保護して第１ケースの表示部に表示された情報を良好に見ることができる。
【００２０】
請求項６に記載の発明によれば、第１、第２ケースが背中合わせに重なった状態で第１、第２カバー部内に収納され、この状態でカバーヒンジ部を中心に第１、第２カバー部を回動させて開くと共に、ケースヒンジ部を中心に第２ケースを回動させて開くと、第１ケースの表示部と第２ケースのキー入力部とが同じ面側を向いて露出し、この状態で第２カバー部を閉じると、この第２カバー部が表示部と反対側に位置する第１ケースの裏面側に配置されるので、第１、第２ケースおよび第１、第２カバー部の開閉操作が簡単で容易にでき、且つカバー部材が邪魔にならず、良好にキー入力部を操作して表示部に情報を表示させて使用することができると共に、第１、第２ケースおよび第１、第２カバー部を折り畳んでコンパクトに携帯することができる。
【００２１】
請求項７に記載の発明によれば、カバー部材が、第１ケースにおける表示部と反対側の裏面に着脱可能に取り付けられ、ケースヒンジ部を中心に第１、第２ケースを回動させて背中合わせに重ねるときに、第１ケースから取り外されて第２ケースに取り付けられることにより、カバー部材がキー入力部を覆うので、請求項１に記載の発明と同様、第１、第２ケースを重ね合わせても、第２ケースのキー入力部をカバー部材で確実に保護して第１ケースの表示部に表示された情報を良好に見ることができ、また第１、第２ケースを開いて表示部とキー入力部とを同じ面側に向けるときには、カバー部材を第２ケースから取り外して第１ケースの裏面に取り付けることにより、カバー部材が邪魔にならず、第２ケースのキー入力部を操作して第１ケースの表示部に情報を表示させることにより、良好に使用することができる。
【００２２】
請求項８に記載の発明によれば、第１ケースに、表示部を操作するための複数の操作キーがカバー部材から外部に露出して設けられていることにより、第１、第２ケースを背中合わせに重ねても、第１ケースの複数の操作キーがカバー部材の外部に露出するので、この露出した複数の操作キーを操作することにより、第１、第２ケースを背中合わせに重ねた状態でも、表示部に表示される情報を操作することができ、これにより良好に使用することができる。
【発明を実施するための最良の形態】
【００２３】
（実施形態１）
以下、図１〜図８を参照して、この発明を電子辞書に適用した実施形態１について説明する。
図１はこの発明を適用した電子辞書を折り畳んだ状態の斜視図、図２はその分解斜視図、図３は図１の電子辞書を開いた状態の斜視図である。
この電子辞書は、図１〜図３に示すように、機器ケース１とカバー部材２とを備えている。機器ケース１は、図２に示すように、互いに背中合わせに重なり合う第１ケース３と第２ケース４とを備え、この第１ケース３と第２ケース４とがケースヒンジ部５によって回動可能に連結され、この状態で図３に示すように、ケースヒンジ部５を中心に第１、第２ケース３、４が相対的に回動して開閉するように構成されている。
【００２４】
この場合、第１ケース３は、図２および図３に示すように、ほぼ葉書サイズの長方形の薄い箱状で、掌に載る程度の大きさに形成されている。また、この第１ケース３の一面(図２では上面)には、表示部６がほぼ全域に亘って設けられていると共に、ケースヒンジ部５と反対側に位置する縁部の上面には、複数の操作キー７が設けられている。表示部６は、液晶表示素子やＥＬ（エレクトロルミネッセンス）表示素子などの平面型の表示素子からなり、辞書や文庫本などの各種の情報を電気光学的に表示するように構成されている。また、複数の操作キー７は、表示部６の電源キーやシフトキーなどの表示部６を操作するための各種のキーを備え、表示部６に文庫本の文章情報を表示させて操作するように構成されている。
【００２５】
第２ケース４は、図２および図３に示すように、第１ケース３とほぼ同じ形状で同じ大きさに形成されており、第１ケース３の表示部６に対面する一面（図２では下面）には、図３に示すように、キー入力部８が設けられている。このキー入力部８は、文字キー、カーソルキー、機能キーなどの電子辞書に必要な各種のキーを備えている。また、ケースヒンジ部５は、図２に示すように、第１ケース３の一方の長辺部における両側に設けられた一対の円筒部５ａと、これに対応する第２ケース４の長辺部における中間部に設けられた円筒部５ｂとを備え、第１ケース３の一対の円筒部５ａ間に第２ケース４の円筒部５ｂを配置させた状態で、一対の円筒部５ａと円筒部５ｂとを回動可能に連結した構成になっている。
【００２６】
これにより、第１、第２ケース３、４は、図２および図３に示すように、ケースヒンジ部５を中心に回動して閉じられると、表示部６とキー入力部８とが互いに反対側を向いた背中合わせの状態で重なり合い、図２に示すように、第１ケース３の表示部６が上面側に位置し、第２ケース４のキー入力部８が下面側に位置するように構成されている。また、第１、第２ケース３、４は、ケースヒンジ部５を中心にほぼ２４０度、回動して開くと、図３に示すように、その回動が停止されて第１ケース３の表示部６と第２ケース４のキー入力部８とが同じ上面側を向いて露出し、第１ケース３が第２ケース４に対し傾斜した状態で起立するように構成されている。
【００２７】
一方、カバー部材２は、図１および図２に示すように、第１ケース３を引き出し可能に収納する第１カバー部１０と、第２ケース４を引き出し可能に収納する第２カバー部１１と、第１、第２カバー部１０、１１を回動可能に連結するカバーヒンジ部１２とを備え、カバーヒンジ部１２を中心に第１、第２カバー部１０、１１が回動して重なり合い、この重なり合った第１、第２カバー部１０、１１内に第１、第２ケース３、４が背中合わせに重なった状態で収納されるときに、ケースヒンジ部５がカバーヒンジ部１２と反対側（図１では手前側）に配置されて収納されるように構成されている。
【００２８】
この場合、第１カバー部１０は、図１および図２に示すように、第１ケース３の表示部６側の上面に対応する上面部１０ａと、第１ケース３の左右両側面に対応する側面部１０ｂとを備えている。上面部１０ａは、図１に示すように、第１ケース３のケースヒンジ部５および第１ケース３の操作キー７が露出する大きさに形成されているほか、この上面部１０ａには、第１ケース３の表示部６に対応する表示開口部１３が設けられている。また、両側の各側面部１０ｂには、図２に示すように、第１ケース３の両側面におけるケースヒンジ部５と反対側の端部に設けられた第１ガイド突起１４を移動可能にガイドする第１ガイド溝１５が第１ケース３の引き出し方向に沿って設けられている。
【００２９】
第２カバー部１１は、図１および図２に示すように、第２ケース４のキー入力部８側の下面に対応する下面部１１ａと、第２ケース４の左右両側面に対応する側面部１１ｂとを備えている。下面部１１ａは、図２において第２ケース４の下面側に位置するキー入力部８の表面全体を覆うと共に、第２ケース４のケースヒンジ部５が露出する大きさに形成されている。また、両側の各側面部１１ｂには、図２に示すように、第２ケース４の両側面におけるケースヒンジ部５と反対側の端部に設けられた第２ガイド突起１６を移動可能にガイドする第２ガイド溝１７が第２ケース４の引き出し方向に沿って設けられている。
【００３０】
カバーヒンジ部１２は、図１および図２に示すように、第１カバー部１０の各側面部１０ｂの端部、つまり第１ケース３のケースヒンジ部５と反対側に位置する各側面部１０ｂの端部に設けられた各ヒンジ軸１８と、第２カバー部１１の各側面部１１ｂの端部、つまり第２ケース４のケースヒンジ部５と反対側に位置する各側面部１１ｂの端部に設けられた各円板部１９とからなり、この円板部１９にヒンジ軸１８が回転可能に挿入する連結孔(図示せず)が設けられ、この円板部１９の連結孔に挿入されて軸支されたヒンジ軸１８を中心に第１、第２カバー部１０、１１が回動して開閉するように構成されている。
【００３１】
次に、この電子辞書の作用について、図１〜図８を参照して説明する。
まず、図１に示すように、機器ケース１をカバー部材２に組み込む。このときには、図２に示すように、機器ケース１のケースヒンジ部５を中心に第１、第２ケース３、４を回動させて背中合わせに重ねる。つまり、第１ケース３の表示部６を上面側に向け、第２ケース４のキー入力部８を下面側に向けた状態で重ね合わせる。また、カバー部材２は、カバーヒンジ部１２を中心に第１、第２カバー部１０、１１を回動させて互いに重ね合わせる。この状態で、第１、第２ケース３、４のケースヒンジ部５と反対側に位置する端部側を第１、第２カバー部１０、１１のカバーヒンジ部１２と反対側から第１、第２カバー部１０、１１内に挿入する。
【００３２】
このときには、第１、第２ケース３、４の両側部に設けられた第１、第２ガイド突起１４、１６を第１、第２カバー部１０、１１の各側面部１０ｂ、１１ｂに設けられた第１、第２ガイド溝１５、１７にそれぞれ挿入してカバーヒンジ部１２側に向けて移動させ、第１、第２ガイド突起１４、１６をカバーヒンジ部１２側の１、第２ガイド溝１５、１７の各端部に当接させる。これにより、図１に示すように、機器ケース１のケースヒンジ部５がカバー部材２のカバーヒンジ部１２と反対側に露出した状態で、第１、第２ケース３、４が第１、第２カバー部１０、１１内に引き出し可能に収納される。
【００３３】
この状態では、図１に示すように、第１ケース３の表示部６が第１カバー部１０の表示開口部１３に対応して露出する共に、第１ケース３の上面における縁部に設けられた複数の操作キー７が第１カバー部１０で覆われることなく外部に露出する。また、第２ケース４のキー入力部８は、第２カバー部１１で覆われて保護される。また、機器ケース１のケースヒンジ部５は、図１に示すように、カバー部材２のカバーヒンジ部１２と反対側に位置する第１、第２カバー部１０、１１から外部に露出する。このため、この状態では、機器ケース１を掌に載せた状態で、第１ケース１の操作キー７を操作して、第１ケース３の表示部６に文庫本などの情報を表示させて見ることができる。
【００３４】
また、機器ケース１を開いて使用する場合には、まず、図４に示すように、機器ケース１のケースヒンジ部５をカバー部材２内から引き出す。このときには、第１、第２ケース３、４の各側面に設けられた第１、第２ガイド突起１４、１６が第１、第２カバー部１０、１１の各側面部１０ｂ、１１ｂに設けられた第１、第２ガイド溝１５、１７に沿って移動する。そして、図５に示すように、第１、第２ガイド突起１４、１６がカバーヒンジ部１２と反対側に位置する第１、第２ガイド溝１５、１７の各端部に当接すると、第１、第２ケース３、４が第１、第２カバー部１０、１１から引き出される動作が停止する。
【００３５】
この状態で、図６に示すように、第１、第２ケース３、４のケースヒンジ部５を中心に第１、第２ケース３、４を回動させて開くと、これに伴って第１、第２カバー部１０、１１もカバーヒンジ部１２を中心に回動して開く。そして、図７に示すように、第１、第２ケース３、４をほぼ９０度に開くと、これに伴って第１、第２カバー部１０、１１もほぼ９０度に開き、ケースヒンジ部５とカバーヒンジ部１２とが対角線上に位置して、全体がほぼ四角形の筒状の状態になる。
【００３６】
そして、第１、第２ケース３、４を更に開くと、図８に示すように、第１、第２カバー部１０、１１も更に開く。すなわち、第１、第２ケース３、４をほぼ１８０度に開くと、図８に示すように、第１ケース３の表示部６と第２ケース４のキー入力部８とが同じ上面側を向くと共に、第１、第２カバー部１０、１１もほぼ１８０度に開く。このときには、ケースヒンジ部５とカバーヒンジ部１２とが互いに接近すると共に、第１、第２ケース３、４の各裏面が第１、第２カバー部１０、１１の各内面に対面して相互に接近する。
【００３７】
この状態で、第１、第２ケース３、４がほぼ２４０度に開くと、図３に示すように、第１ケース３が第２ケース４に対し傾斜した状態で起立し、ケースヒンジ部５とカバーヒンジ部１２とが対応して、第１、第２ケース３、４の各裏面に第１、第２カバー部１０、１１の各内面が密着する。このときには、図３に示すように、第１ケース３の表示部６が第２ケース４のキー入力部８に対し傾斜した状態で、表示部６とキー入力部８との両者が同じ上面側を向いて露出するので、キー入力部８を操作しながら表示部６に表示された情報を見ることができ、これにより電子辞書として良好に使用することができる。
【００３８】
このように、この電子辞書によれば、ケースヒンジ部５を中心に第１、第２ケース３、４を回動させて開き、表示部６とキー入力部８とを同じ面側に向けて露出させると、キー入力部８を操作して表示部６に辞書などの情報を表示させることができ、これにより電子辞書として良好に使用することができる。また、ケースヒンジ部５を中心に第１、第２ケース３、４を回動させて背中合わせに重ねると、表示部６に表示された文庫本などの情報を見ることができると共に、コンパクトに携帯することができ、且つこのときにカバー部材２でキー入力部８が覆われるので、キー入力部８をカバー部材２で保護することができ、これにより第１、第２ケース３、４を重ね合わせても、第２ケース４のキー入力部８を保護した状態で第１ケース３の表示部６に表示された情報を見ることができる。
【００３９】
この場合、カバー部材２は、第１ケース３を引き出し可能に収納する第１カバー部１０と、第２ケース４を引き出し可能に収納する第２カバー部１１と、第１、第２カバー部１０、１１を回動可能に連結するカバーヒンジ部１２とを備え、このカバーヒンジ部１２を中心に第１、第２カバー部１０、１１を回動させて重ね合わせ、この第１、第２カバー部１０、１１内に第１、第２ケース３、４を背中合わせに重ねた状態で収納するときに、ケースヒンジ部５をカバーヒンジ部１２と反対側に配置することにより、第１ケース３の表示部６が第１カバー部１０に設けられた表示開口部１３に対応して露呈すると共に、第２ケース４のキー入力部８が第２カバー部１１で覆い隠されるので、第１、第２ケース３、４を重ね合わせても、キー入力部８を確実に保護した状態で表示部６に表示された情報を良好に見ることができ、これにより機器ケース１を掌に載せて良好に使用することができる。
【００４０】
また、重なり合った第１、第２ケース３、４のケースヒンジ部５側を第１、第２カバー部１０、１１内から引き出して、ケースヒンジ部５を中心に第１、第２ケース３、４を回動させて開くと、これに伴って第１、第２カバー部１０、１１がカバーヒンジ部１２を中心に回動して開き、第１ケース３の表示部６と第２ケース４のキー入力部８とが同じ面側を向いて露出すると、第１、第２カバー部１０、１１も第１、第２ケース３、４とほぼ同じ状態に開いて第１、第２ケース３、４の裏面側に配置されるので、第１、第２ケース３、４および第１、第２カバー部１０、１１の開閉操作が簡単で容易にでき、且つカバー部材２が邪魔にならず、良好にキー入力部８を操作して表示部６に情報を表示させることができると共に、機器ケース１を折り畳んでコンパクトに携帯することができる。
【００４１】
特に、このカバー部材２では、第１カバー部１０の各側面部１０ｂに第１ケース３の第１ガイド突起１４をガイドする第１ガイド溝１５が第１ケース３の引き出し方向に沿って設けられ、第２カバー部１１の各側面部１１ｂに第２ケース４の第２ガイド突起１６をガイドする第２ガイド溝１７が第２ケース４の引き出し方向に沿って設けられていることにより、第１、第２ケース３、４を背中合わせに重ねた状態で第１、第２カバー部１０、１１から引き出すとき、また第１、第２カバー部１０、１１に収納するときに、第１、第２ガイド突起１４、１６が第１、第２ガイド溝１５、１７に沿ってガイドされるので、円滑に第１、第２ケース３、４を第１、第２カバー部１０、１１に対しスライドさせることができる。
【００４２】
また、第１、第２ケース３、４を第１、第２カバー部１０、１１から引き出したときに、第１、第２ガイド突起１４、１６が第１、第２ガイド溝１５、１７の各端部に当接して第１、第２ケース３、４が第１、第２カバー部１０、１１から抜け出さないように係止することができる。このため、この状態でケースヒンジ部５を中心に第１、第２ケース３、４を回動させて開くことができるので、これに伴ってカバーヒンジ部１２を中心に第１、第２カバー部１０、１１を円滑に且つ良好に回動させて開くことができる。これにより、第１、第２ケース３、４から第１、第２カバー部１０、１１を取り外す必要がなく、第１、第２ケース３、４および第１、第２カバー部１０、１１を容易に開閉することができるので、使い勝手が良い。
【００４３】
（実施形態２）
次に、図９〜図１１を参照して、この発明を電子辞書に適用した実施形態２について説明する。なお、図１〜図８に示された実施形態１と同一部分には同一符号を付して説明する。
この電子辞書は、カバー部材２０の構造が実施形態１と異なり、これ以外は実施形態１とほぼ同じ構造になっている。すなわち、このカバー部材２０は、実施形態１と同様、第１、第２ケース３、４を背中合わせに重ねた状態で、第１ケース３を覆う第１カバー部２１と、第２ケース４を覆う第２カバー部２２と、この第１、第２カバー部２１、２２を回動可能に連結するカバーヒンジ部２３とを備えている。
【００４４】
この場合にも、第１カバー部２１は、第１ケース３の表示部６側の上面に対応する上面部２１ａと、第１ケース３の左右両側面に対応する側面部２１ｂとを備えている。上面部２１ａは、図９に示すように、第１ケース３のケースヒンジ部５および第１ケース３の操作キー７が露出する大きさに形成されており、この上面部２１ａには、第１ケース３の表示部６に対応する表示開口部２４が設けられている。また、第２カバー部２２は、第２ケース４のキー入力部８側の下面に対応する下面部２２ａと、第２ケース４の左右両側面に対応する側面部２２ｂとを備えており、下面部２２ａは、図９において第２ケース４の下面側に位置するキー入力部８の表面全体を覆う大きさに形成されている。
【００４５】
カバーヒンジ部２３は、図９〜図１１に示すように、第１カバー部２１の各側面部２１ｂの端部、つまり第１ケース３のケースヒンジ部５と反対側に位置する各側面部２１ｂの端部に設けられた各ヒンジ軸２５と、第２カバー部２２の各側面部２２ｂの端部、つまり第２ケース４のケースヒンジ部５と反対側に位置する各側面部２２ｂの端部に設けられた各円板部２６とからなり、この円板部２６にヒンジ軸２５が回転可能に挿入する連結孔２６ａが設けられ、この円板部２６の連結孔２６ａに挿入して軸支されたヒンジ軸２５を中心に第１、第２カバー部１０、１１が回動するように構成されている。
【００４６】
この場合、第１カバー部２１の各側面部２１ｂにおけるカバーヒンジ部１２と反対側に位置する各端部には、係合凸部２７が第２カバー部２２の各側面部２２ｂに対向してそれぞれ設けられており、また第２カバー部２２の各側面部２２ｂにおけるカバーヒンジ部１２と反対側に位置する各端部には、第１カバー部２１の各側面部２１ｂに設けられた各係合凸部２７が係脱可能に係合する係合凹部２８がそれぞれ設けられている。これにより、第１、第２カバー部２１、２２は、カバーヒンジ部１２を中心に回動して互いに重なり合ったときに、第１カバー部２１の各係合凸部２７が第２カバー部２２の各係合凹部２８に係合することにより、第１、第２カバー部２１、２２が勝手に開かないように構成されている。
【００４７】
次に、この電子辞書の作用について、図９〜図１１を参照して説明する。
まず、図９に示すように、機器ケース１をカバー部材２０に組み込む。このときには、機器ケース１のケースヒンジ部５を中心に第１、第２ケース３、４を回動させて背中合わせに重ねる。つまり、第１ケース３の表示部６を上面側に向け、第２ケース４のキー入力部８を下面側に向けた状態で重ね合わせる。また、カバー部材２０は、図１０に示すように、カバーヒンジ部２３を中心に第１、第２カバー部２１、１１を回動させて所定角度に開く。
【００４８】
この状態で、機器ケース１のケースヒンジ部５をカバーヒンジ部２３と反対側に向けて、第１ケース３を第１カバー部２１に取り付ける。そして、第２カバー部２２を閉じると、図９に示すように、第２カバー部２２が第２ケース４のキー入力部８を覆って第２ケース４に装着し、第１カバー部２１の各係合凸部２７が第２カバー部２２の各係合凹部２８に係合する。これにより、第１、第２カバー部２１、２２が勝手に開かないように係止され、機器ケース１のケースヒンジ部５がカバー部材２０のカバーヒンジ部２３と反対側に位置した状態で、第１、第２ケース３、４が第１、第２カバー部２１、２２に収納される。
【００４９】
このときには、図９に示すように、第１ケース３の表示部６が第１カバー部２１の表示開口部２４に対応して露出する共に、第１ケース３の上面における縁部に設けられた操作キー７が第１カバー部２１で覆われることなく外部に露出する。また、第２ケース４のキー入力部８は、第２カバー部２２で覆われて保護される。また、機器ケース１のケースヒンジ部５は、図９に示すように、カバー部材２０のカバーヒンジ部２３と反対側に位置する第１、第２カバー部２１、２２から外部に露出する。このため、この状態では、機器ケース１を掌に載せた状態で、第１ケース１の操作キー７を操作して、第１ケース３の表示部６に文庫本などの情報を表示させて見ることができる。
【００５０】
また、機器ケース１を開いて使用する場合には、まず、図１０に示すように、カバー部材２０のカバーヒンジ部２３を中心に第２カバー部２２を第１カバー部２１に対し相対的に回動させると共に、第１カバー部２１の各係合凸部２７と第２カバー部２２の各係合凹部２８との係合を解除して開き、この第２カバー部２２を第２ケース４から離間させる。この状態で、図１０に示すように、機器ケース１のケースヒンジ部５を中心に第１、第２ケース３、４を回動させて開く。そして、図１１に示すように、第１、第２ケース３、４がほぼ１８０度に開くと、第１ケース３の表示部６と第２ケース４のキー入力部８とが同じ上面側を向いて露出する。
【００５１】
この状態で、図１１に示すように、カバー部材２０のカバーヒンジ部２３を中心に第２カバー部２２を回動させて閉じ、第１カバー部２１の各係合凸部２７を第２カバー部２２の各係合凹部２８に係合させると、第１、第２カバー部２１、２２が勝手に開かないように係止されて、第１ケース３の裏面に第２カバー部２２の内面が対面して配置される。このときには、図１１に示すように、第１ケース３の表示部６と第２ケース４のキー入力部８とが、同じ上面側を向いて露出しているので、キー入力部８を操作しながら表示部６に表示された情報を見ることができ、これにより電子辞書として良好に使用することができる。
【００５２】
このように、この電子辞書によれば、実施形態１と同様、第１、第２ケース３、４を開いて表示部６とキー入力部８とを同じ面側に向けて露出させると、キー入力部８を操作して表示部６に辞書などの情報を表示させて使用することができる。また、第１、第２ケース３、４を背中合わせに重ねると、第１ケース３の表示部６に表示された文庫本などの情報を見ることができると共に、コンパクトに携帯することができ、且つこのときにカバー部材２で第２ケース４のキー入力部８が覆われるので、キー入力部８をカバー部材２で保護することができる。これにより、第１、第２ケース３、４を重ね合わせても、キー入力部８を保護した状態で表示部６に表示された情報を見ることができる。
【００５３】
この場合、カバー部材２０は、第１ケース３を覆う第１カバー部２１と、第２ケース４を覆う第２カバー部２２と、第１、第２カバー部２１、２２を回動可能に連結するカバーヒンジ部２３とを備え、カバーヒンジ部２３を中心に第１、第２カバー部２１、２２を回動させて重ね合わせ、この第１、第２カバー部２１、２２内に第１、第２ケース３、４を背中合わせに重ねた状態で収納するときに、ケースヒンジ部５をカバーヒンジ部２３と反対側に配置することにより、第１ケース３の表示部６が第１カバー部２１の表示開口部２４に対応して露出すると共に、第２ケース４のキー入力部８が第２カバー部２２で覆われるので、実施形態１と同様、第１、第２ケース３、４を重ね合わせても、キー入力部８を確実に保護して表示部６表示された情報を見ることができ、これにより機器ケース１を掌に載せて良好に使用することができる。
【００５４】
また、カバーヒンジ部２３を中心に第２カバー部２２を回動させて開くと共に、機器ケース１のケースヒンジ部５を中心に第１、第２ケース３、４を回動させて開くことにより、第１ケース３の表示部６と第２ケース４のキー入力部８とを同じ面側に向けて露出させることができる。また、この状態では、第２カバー部２２を回動させて閉じると、第２カバー部２２が第１ケース３の裏面側に配置されるので、実施形態１と同様、第１、第２ケース３、４および第１、第２カバー部２１、２２の開閉操作が簡単で容易にでき、且つカバー部材２０が邪魔にならず、良好にキー入力部８を操作して表示部６に情報を表示させることができると共に、機器ケース１を折り畳んでコンパクトに携帯することができ、これにより使い勝手の良いものを得ることができる。
【００５５】
（実施形態３）
次に、図１２〜図１７を参照して、この発明を電子辞書に適用した実施形態３について説明する。この場合にも、図１〜図８に示された実施形態１と同一部分に同一符号を付して説明する。
この電子辞書は、機器ケース１の第１、第２ケース３、４が二軸のケースヒンジ部３０によって回動可能に連結されて背中合わせに重なり合うと共に、第１ケース３の表示部６と第２ケース４のキー入力部８とが対面して重なり合う構成で、且つカバー部材３１が第１ケース３と第２ケース４との一方に着脱可能に取り付けられるように構成されている。
【００５６】
すなわち、この機器ケース１のケースヒンジ部３０は、図１２〜図１７に示すように、第２ケース４の上辺部の中間部に設けられた第１円筒部３２と、この第１円筒部３２の両端部に回動可能に取り付けられた一対の第２円筒部３３と、この一対の第２円筒部３３に回転自在に取り付けられて第１ケース３の両端部に回動可能に取り付けられた各連結軸３４とを備え、これにより第１、第２ケース３、４を回動可能に連結し、第１ケース３が第２円筒部３３と連結軸３４との二軸を中心に回動して第２ケース４に対し開閉するように構成されている。
【００５７】
従って、この機器ケース１は、図１２に示すように、第１、第２ケース３、４が表示部６とキー入力部８とを対面させた状態で互いに重なり合い、この状態でケースヒンジ部３０を中心に第１、第２ケース３、４が回動して開くと、図１３に示すように、表示部６とキー入力部８とが同じ上面側を向いて露出し、更にケースヒンジ部３０を中心に第１、第２ケース３、４が回動して開くと、図１４および図１５に示すように、キー入力部８が上面側を向き、表示部６が下面側を向いて第１、第２ケース３、４が背中合わせに重なり、これを上下反転させると、図１６に示すように、表示部６が上面側を向き、キー入力部８が下面側を向くように構成されている。
【００５８】
一方、カバー部材３１は、図１２および図１３に示すように、通常は表示部６と反対側に位置する第１ケース３の上面に着脱可能に取り付けられて、第１ケース３の上面および第１ケース３の各側面を覆うように構成されている。また、このカバー部材３１は、図１５に示すように、第１、第２ケース３、４を背中合わせに重ね合わせるときに、第１ケース３から取り外されて第２ケース４のキー入力部８の表面側を覆った状態で第２ケース４に取り付けられるように構成されている。
【００５９】
このような電子辞書によれば、第１、第２ケース３、４が二軸のケースヒンジ部３０によって回動可能に連結されているので、図１２に示すように、第１ケース３の表示部６と第２ケース４のキー入力部８とを対面させた状態で第１、第２ケース３、４を重ね合わせることができ、またケースヒンジ部３０を中心に回動させて開くと、図１３に示すように、第１ケース３の表示部６と第２ケース４のキー入力部８とを同じ上面側に向けて露出させることができるほか、ケースヒンジ部３０を中心に更に回動させると、図１６に示すように、第１ケース３の表示部６を上面側に向け、第２ケース４のキー入力部８を下面側に向けて第１、第２ケース３、４を背中合わせに重ねることができる。
【００６０】
従って、この電子辞書では、カバー部材３１が、第１ケース１における表示部６と反対側の裏面に着脱可能に取り付けられ、第１、第２ケース３、４を背中合わせに重ねるときに、図１５に示すように、第１ケース３から取り外されて第２ケース４に取り付けられることにより、キー入力部８を覆うので、実施形態１と同様、第１、第２ケース３、４を重ね合わせても、キー入力部８を確実に保護して表示部６に表示された情報を見ることができる。このため、この電子辞書においても、機器ケース１を掌に載せて良好に使用することができる。
【００６１】
また、第１、第２ケース３、４を開いて第１ケース３の表示部６と第２ケース４のキー入力部８とを同じ面側に向けて使用するときには、カバー部材３１を第１ケース３の裏面に取り付けることができるので、カバー部材３１が邪魔にならず、良好にキー入力部８を操作して表示部６に情報を表示させて使用することができる。この場合、第１、第２ケース３、４は、表示部６とキー入力部８とを互いに対面させて重ね合わせることができるので、この状態で携帯すれば、第１、第２ケース３、４によって表示部６とキー入力部８とを保護した状態で良好に携帯することができる。
【００６２】
なお、上記実施形態１〜３では、電子辞書に適用した場合について述べたが、これに限らず、例えば携帯電話機やＰＤＡ（パーソナル・デジタル・アシスタント）などの折り畳み式の携帯型電子機器に広く適用することができる。
【図面の簡単な説明】
【００６３】
【図１】この発明を適用した電子辞書の外観斜視図である。（実施形態１）
【図２】図１の分解斜視図である。
【図３】図１の電子辞書を開いて使用する状態を示した斜視図である。
【図４】図１の状態で第１、第２ケースをカバー部材から引き出す状態を示した斜視図である。
【図５】図４の状態で第１、第２ケースをカバー部材から更に引き出した状態を示した斜視図である。
【図６】図５の状態で第１、第２ケースを回動させて開き始めた状態を示した斜視図である。
【図７】図６の状態で第１、第２ケースを更に回動させてほぼ９０度に開いた状態を示した斜視図である。
【図８】図７の状態で第１、第２ケースをほぼ１８０度回動させて開いた状態を示した斜視図である。
【図９】この発明を適用した電子辞書の外観斜視図である。（実施形態２）
【図１０】図９のカバー部材の第２カバー部を第１カバー部に対し回動させて開き、第２ケースを第１ケースに対し回動させて少し開いた状態を示した斜視図である。
【図１１】図１０の状態で第１、第２ケースをほぼ１８０度に開いて第２カバー部を閉じた状態を示した斜視図である。
【図１２】この発明を適用した電子辞書の外観斜視図である。（実施形態３）
【図１３】図１２の電子辞書を開いて表示部とキー入力部とを同じ面側に向けた状態を示した斜視図である。
【図１４】図１３の状態で第１ケースを更に回動させて第２ケースの下面に重ねた状態を示した斜視図である。
【図１５】図１４の状態で第２ケースにカバー部材を取り付けてキー入力部を覆う状態を示した分解斜視図である。
【図１６】図１５の状態の電子辞書を上下反転させた状態を示した斜視図である。
【図１７】図１２のケースヒンジ部を示した拡大側面図である。
【符号の説明】
【００６４】
１  機器ケース
２、２０、３１  カバー部材
３  第１ケース
４  第２ケース
５、３０  ケースヒンジ部
６  表示部
７  操作キー
８  キー入力部
１０、２１  第１カバー部
１１、２２  第２カバー部
１２、２３  カバーヒンジ部
１３、２４  表示開口部
１４  第１ガイド突起
１５  第１ガイド溝
１６  第２ガイド突起
１７  第２ガイド溝
１８  ヒンジ軸
１９  円板部
【図１】
2006338459.tif 000003
【図２】
2006338459.tif 000004
【図３】
2006338459.tif 000005
【図４】
2006338459.tif 000006
【図５】
2006338459.tif 000007
【図６】
2006338459.tif 000008
【図７】
2006338459.tif 000009
【図８】
2006338459.tif 000010
【図９】
2006338459.tif 000011
【図１０】
2006338459.tif 000012
【図１１】
2006338459.tif 000013
【図１２】
2006338459.tif 000014
【図１３】
2006338459.tif 000015
【図１４】
2006338459.tif 000016
【図１５】
2006338459.tif 000017
【図１６】
2006338459.tif 000018
【図１７】
2006338459.tif 000019